(57)【要約】【課題】本発明は、簡略な構成で、エレベータシャフト内の内気を屋内に漏らすことなく、強制的に構造物の外方へ排煙できる構造物の排煙装置を提供する。【解決手段】構造物１において、ある階層の共用空間１３で火災等が生じて煙が発生すると、共用空間１３に充満した煙は、エレベータ扉６の周囲の隙間からエレベータシャフト４内へ流入する。火災発生と同時に、排煙孔９に備えた排煙ファン１１が自動的に作動し、エレベータシャフト４内には、給気孔８から排煙孔９に向かう気流１２が形成される。共用空間１３で発生した火災により、エレベータシャフト４内に流入した煙は、滞留することなく気流１２に誘導されてエレベータシャフト４の内方を上昇し、エレベータシャフト４の天端部に設けられた排煙孔９より、排煙ファン１１を介して強制的に屋外へ排煙されることから、エレベータ扉６の周囲の隙間を介して他の階層に流出することはない。【選択図】  図１
2004323176.tif 000002
【特許請求の範囲】
【請求項１】
構造物の上下方向に連通し、屋内に面するエレベータ扉を備えるエレベータシャフトと、
前記エレベータシャフトの最下部近傍に備えられており、外気をエレベータシャフトの内方に供給する給気孔と、
前記エレベータシャフトの天端部近傍に備えられており、自動火災報知設備に連動する排煙ファンが設置されるとともに、火災時にエレベータシャフト内に流入する煙を構造物の外方に排煙する排煙孔を備えてなり、
前記排煙ファンの作動に伴い、前記エレベータシャフト内に給気孔から排煙孔に向かう気流が形成されることを特徴とする構造物の排煙装置。
【発明の詳細な説明】
【０００１】
【発明の属する技術分野】
本発明は、エレベータシャフトを利用した構造物の排煙装置に関する。
【０００２】
【従来の技術】
従来より、構造物に備えられているエレベータは、エレベータ扉の周りに隙間が存在している。このため、構造物内で火災が発生すると、火災が発生した階におけるエレベータ扉の周りの隙間から、煙がエレベーターシャフト内に流れ込む。この煙は、該エレベーターシャフト内を上昇し、他の階におけるエレベータ扉の周りの隙間から、再度屋内へ流れ込む場合があった。このような現象を防止するため、建築基準法が改正され（Ｈ１４．６．１施行）、エレベータ扉の前面に遮煙・遮炎性能付の扉（特定防火設備）の設置が義務づけられた。例えば、特許文献１に示すような、遮煙機能付きの特定防火設備扉の設置が必要となっている。
【０００３】
【特許文献１】
特開２００３−３３４４４号公報（図１参照）
【０００４】
【発明が解決しようとする課題】
しかし、このような遮煙機能付きの特定防火設備扉は、構造物の構築に際しコストアップになるとともに、意匠上の制約となる場合も多い。
【０００５】
上記事情に鑑み、本発明は、簡略な構成で、火災時にエレベータシャフト内へ流れ込んだ煙を、屋内に漏らすことなく、強制的に構造物の外方へ排煙できる構造物の排煙装置を提供することを目的としている。
【０００６】
【課題を解決するための手段】
請求項１記載の構造物の排煙装置は、構造物の上下方向に連通し、屋内に面するエレベータ扉を備えるエレベータシャフトと、前記エレベータシャフトの最下部近傍に備えられており、外気をエレベータシャフトの内方に供給する給気孔と、前記エレベータシャフトの天端部近傍に備えられており、自動火災報知設備に連動する排煙ファンが設置されるとともに、火災時にエレベータシャフト内に流入する煙を構造物の外方に排煙する排煙孔を備えてなり、前記排煙ファンの作動に伴い、前記エレベータシャフト内に給気孔から排煙孔に向かう気流が形成されることを特徴としている。
【０００７】
【発明の実施の形態】
本発明の構造物の排煙装置は、構造物に備えられたエレベータシャフトを利用するもので、エレベータシャフトの下部近傍に給気孔を設置するとともに、天端部に、排煙ファンを備えた排煙孔を設け、構造物内で火災が発生した際には、排煙ファンを作動させて、エレベーターシャフト内に給気孔から排煙孔に抜ける気流を形成することにより、火災の発生によりエレベータシャフト内に流入した煙を、前記気流に乗せて強制的に構造物の外方に排煙させるものである。
【０００８】
図１に示すように、構造物１は、複数の居室が備えられた居室空間３、共用廊下やエレベーターホール等が配置されている共用空間１３、及び構造物１の上下方向に連通するエレベータシャフト４を備えている。該エレベータシャフト４は、構造物１の外壁２を利用して形成されているとともに、前記共用空間１３に面するように配置されている。これらエレベータシャフト４は、該共用空間１３に面する側にエレベータ扉６が配置されるとともに、内方に昇降機５が備えられて、一般の構造物に利用されているものと同様のエレベータとして機能するものである。
【０００９】
このようなエレベータシャフト４は、最下部近傍の外壁２に、屋外に連通する給気孔８が設けられているとともに、天端部には、屋外に連通する排煙孔９が設けられて、排煙装置７を構成している。ここで、前記給気孔８には、風量を調整しながら屋外からエレベータシャフト４内に、外気を取り込む給気ガラリ１０が備えられているとともに、前記排煙孔９には、火災等が発生した際にエレベータシャフト４内に流入した煙を屋外に効率よく排煙する排煙ファン１１が備えられている。該排煙ファン１１には、図示しない自動火災報知設備が連動されており、前記構造物１の共用空間１３内で火災が発生すると、自動的に作動する構成となっている。
なお、該自動火災報知設備は、一般の構造物に広く用いられているものであり、自動的に火災の発生を検出して、音響装置を鳴動させて建物の中にいる人々に火災の発生を報知するとともに、例えば、非常放送設備、防火防排煙設備、各種消火設備、ビル管理システム等に連動されているものである。
【００１０】
このような構成は、前記排煙ファン１１が作動すると、前記エレベータシャフト４の最下部近傍に備えられた前記給気孔８より、エレベータシャフト４内に外気が供給されるとともに、エレベータシャフト４の天端部に設けられた前記排煙孔９より、エレベータシャフト４内の内気が前記排煙ファン１１を介して屋外へ排気されるため、エレベータシャフト４の内方に、下方から上方に向かう気流１２を形成することとなる。また、該気流１２は、単に内気を下方から上方に移動させるだけでなく、周囲の空気をも吸引しながら上昇していくことから、各階層に備えられたエレベータ扉６の周りの隙間を介して、各階層の共用空間１３の空気をエレベータシャフト４内に取込み、取り込んだ空気を気流１２に乗せて排煙孔９より屋外へ排気することができる。
【００１１】
したがって、例えば、図２に示すように、構造物１において、ある階層の共用空間１３で火災等が生じて煙が発生すると、共用空間１３に充満した煙は、エレベータ扉６の周囲の隙間からエレベータシャフト４内へ流入する。一方で、火災発生と同時に、図示しない自動火災報知設備により、該排煙ファン１１が自動的に作動し、前記エレベータシャフト４内には、気流１２が形成される。
このため、エレベータシャフト４内に流入した煙は、滞留することなく前記気流１２に誘導されてエレベータシャフト４の内方を上昇し、エレベータシャフト４の天端部に設けられた前記排煙孔９より、前記排煙ファン１１を介して強制的に屋外へ排煙されることから、エレベータ扉６の周囲の隙間を介して他の階層に流出することはない。
【００１２】
このように、前記エレベータシャフト４は、前記給気孔８、排煙孔９及び排煙ファン１１を備えることによりエレベータシャフト４の内方に気流１２を形成できるため、火災時には、構造物１の共用空間１３からエレベータシャフト４内に流入した煙を、該気流１２に乗せて排煙する排煙装置７として機能することになる。
しかも、排煙装置７を構成するエレベータシャフト４に形成される気流１２は、周囲の空気を一方的に吸引して前記排煙孔９に向けて上昇することから、共用空間１３に充満した煙を、エレベータ扉６の周囲の隙間からエレベータシャフト４内に自ら吸引し、該気流１２に乗せて排煙することも可能であり、エレベータシャフト４内及び共用空間１３両者の排煙装置７として機能するものである。
【００１３】
上述する構成によれば、構造物１の排煙装置７は、前記エレベータシャフト４を利用するものであり、該エレベータシャフト４の最下端部近傍に前記給気孔８、天端部に自動火災報知設備に連動した排煙ファン１１を備えた排煙孔９を設け、前記構造物１の共用空間１３内で火災が生じると、該排煙ファン１１が自動的に作動し、エレベータシャフト４の内方に、給気孔８から排煙孔９に向かう気流１２を形成する構成とした。
これにより、構造物１において、ある階層の共用空間１３で火災等が生じた場合にも、エレベータ扉６の周囲の隙間からエレベータシャフト４内に流入した煙を、気流１２で誘導し前記排煙孔９より強制的に屋外へ排煙することが可能となり、従来のように、エレベータシャフト４内に流入した煙を、他の階層のエレベータ扉６の周囲の隙間を介して他の階層に流出する現象を防止することが可能となる。
【００１４】
さらに、前記気流１２の吸引力を利用して、共用空間１３に充満した煙を、エレベータ扉６の周囲の隙間からエレベータシャフト４内に自ら取込み、気流１２に乗せて前記排煙孔９より排煙することも可能であり、構造物１の排煙装置７は、エレベータシャフト４内及び共用空間１３両者の排煙装置７として機能することが可能となる。
【００１５】
このように、該排煙装置７は、エレベータシャフト４内及び共用空間１３両者の排煙装置７として機能するため、従来より各階のエレベータ扉６近傍に設置されていた遮煙用の防火扉を設ける必要が無く、工費を大幅に削減することができるとともに、意匠的に影響を与えることもなく、設計プランに制約を与えることがない。
なお、居室空間３で発生した火災については、別途機械排煙等により対応させるが、万一共用空間１３に煙が流入した場合でも、本排煙装置により他階層に流出させることなく、排煙が可能である。
【００１６】
【発明の効果】
請求項１記載の構造物の排煙装置によれば、構造物の上下方向に連通し、屋内に面するエレベータ扉を備えるエレベータシャフトと、前記エレベータシャフトの最下部近傍に備えられており、外気をエレベータシャフトの内方に供給する給気孔と、前記エレベータシャフトの天端部近傍に備えられており、自動火災報知設備に連動する排煙ファンが設置されるとともに、火災時にエレベータシャフト内に流入する煙を構造物の外方に排煙する排煙孔を備えてなり、前記排煙ファンの作動に伴い、前記エレベータシャフト内に給気孔から排煙孔に向かう気流が形成される。
これにより、構造物において、ある階層の共用空間で火災等が生じた場合にも、エレベータ扉の周囲の隙間からエレベータシャフト内に流入した煙を、気流に乗せて前記排煙孔より強制的に屋外へ排煙することが可能となり、従来のように、エレベータシャフト内に流入した煙を、他の階層のエレベータ扉の周囲の隙間を介して他の階層に流出する現象を防止することが可能となる。
【００１７】
さらに、前記気流の吸引力を利用して、共用空間に充満した煙を、エレベータ扉の周囲の隙間からエレベータシャフト内に自ら取込み、気流に乗せて前記排煙孔より排煙することも可能であり、構造物の排煙装置は、エレベータシャフト内及び共用空間両者の排煙装置として機能することが可能となる。
【００１８】
このように、該排煙装置は、エレベータシャフト内及び共用空間両者の排煙装置として機能するため、従来より各階のエレベータ扉近傍に設置されていた遮煙用の防火扉を設ける必要が無く、工費を大幅に削減することができるとともに、意匠的に影響を与えることもなく、設計プランに制約を与えることがない。
【図面の簡単な説明】
【図１】本発明に係る構造物の排煙装置を示す図である。
【図２】本発明に係る構造物の排煙装置を用いた火災時の排煙方法を示す図である。
【符号の説明】
１  構造物
２  外壁
３  居室空間
４  エレベータシャフト
５  エレベータ
６  エレベータ扉
７  排煙装置
８  給気孔
９  排煙孔
１０  給気ガラリ
１１  排煙ファン
１２  気流
１３  共用空間
【図１】
2004323176.tif 000003
【図２】
2004323176.tif 000004